(57)【要約】  【課題】簡単なスピーカ構成で組立が容易で且つスピーカボックスの奥行方向を狭くすることができると共に、低域再生が拡大された小型軽量なスピーカ装置を提供すること。【解決手段】本発明にかかるスピーカ装置１００は、スピーカユニット取付け部１０、放音孔２０、前面部キャビネット４０、側面部キャビネット４１、背面部キャビネット４２、スピーカユニット５０、共鳴管壁３０、共鳴管３１を有している。放音孔２０にいたる部分には、共鳴管壁３０と前面部キャビネット４０と側面部キャビネット４１と背面部キャビネット４２とで形成された空間である共鳴管３１が設けられている。この共鳴管３１は、音響迷路ともよばれ、スピーカユニット５０後面から発生する HYPERLINK "http://ja.wikipedia.org/wiki/%E9%9F%B3" \o "音" 音の低音域成分を増幅して放音孔２０より放出するものである。【選択図】図１
2014093535.tif 000002
【特許請求の範囲】
【請求項１】
スピーカユニットと、
放音孔及び前記スピーカユニットを固定するためのスピーカユニット取付け部を備えた前面部キャビネットと、
側面部キャビネットと、
前記スピーカユニットの背面部が当接された背面部キャビネットと、
共鳴管壁と、
前記前面部キャビネットと前記側面部キャビネットと前記背面部キャビネットと前記
共鳴管壁とからなる共鳴管と、
を有し、
前記スピーカユニット後面から発生する HYPERLINK "http://ja.wikipedia.org/wiki/%E9%9F%B3" \o "音" 音の低音域成分並びに前記背面部キャビネットから発生する HYPERLINK "http://ja.wikipedia.org/wiki/%E9%9F%B3" \o "音" 音の低音域成分を前記共鳴管に導き、 HYPERLINK "http://ja.wikipedia.org/wiki/%E9%9F%B3" \o "音" 音の低音域成分を増幅して前記放音孔より再生することを特徴とするスピーカ装置。
【請求項２】
前記スピーカユニットの背面部と前記背面部キャビネットとの間隙にスペーサをさらに備えたことを特徴とする請求項１に記載のスピーカ装置。
【請求項３】
前記放音孔に応じた開口部の前記背面部キャビネットにサウンドアブソーバをさらに備えたことを特徴とする請求項１または２に記載のスピーカ装置。
【発明の詳細な説明】
【技術分野】
【０００１】
本発明は小型軽量なスピーカ装置に関する。
【背景技術】
【０００２】
簡単なスピーカ構成で電気−音響変換効率を向上させ、振動板の作用力に対する反作用力を有効に利用することができ、低域再生が拡大され歪の少ない小型軽量なスピーカ装置が提案されている（ 特許文献１参照） 。
【０００３】
また、極めて薄型化が可能なスクリーンスピーカとスクリーンスピーカの配置時のデッドスペースをなくすことができるスクリーンスピーカ用の支持脚が提案されている（ 特許文献２参照） 。
【先行技術文献】
【特許文献】
【０００４】
【特許文献１】特開２０００−４１２９１号公報
【特許文献２】特開平７−２４０９８５号公報
【発明の概要】
【発明が解決しようとする課題】
【０００５】
しかしながら、特許文献１の提案では、スピーカの振動板で生ずる作用力に着目し、その作用力対する反作用力をスピーカボックスに形成した第２の振動板であるスピーカボックスに加えて電気−音響変換効率を向上させると共に、空気の放射力も考慮しスピーカユニットの奥行き方向にダクトを形成しバッフルボードに設けられた開口部から音放射をする構成である。
【０００６】
従って、スピーカユニットの奥行き方向にダクトを形成しているためスピーカボックスの薄型化が難しいという問題があった。
【０００７】
特許文献２の提案では極めて薄型化が可能なスクリーンスピーカが開示されているが、スクリーンの裏面に配置するためスクリーン裏面にスピーカの放音孔が密着し放音孔がスクリーンで塞がれており、またダクト等を備えていない構成であり、所望の音響特性を得るのが難しいという問題があった。
【０００８】
本発明は、上記の課題に鑑みてなされたものであり、簡単なスピーカ構成で組立が容易で且つスピーカボックスの奥行方向を狭くすることができると共に、低域再生が拡大された小型軽量なスピーカ装置を提供することを目的とする。
【課題を解決するための手段】
【０００９】
本発明は、上記課題を解決するために、以下１）〜３）に記載の手段よりなる。
すなわち、
１）スピーカユニットと、
放音孔及び前記スピーカユニットを固定するためのスピーカユニット取付け部を備えた前面部キャビネットと、
側面部キャビネットと、
前記スピーカユニットの背面部が当接された背面部キャビネットと、
共鳴管壁と、
前記前面部キャビネットと前記側面部キャビネットと前記背面部キャビネットと前記
共鳴管壁とからなる共鳴管と、
を有し、
前記スピーカユニット後面から発生する HYPERLINK "http://ja.wikipedia.org/wiki/%E9%9F%B3" \o "音" 音の低音域成分並びに前記背面部キャビネットから発生する HYPERLINK "http://ja.wikipedia.org/wiki/%E9%9F%B3" \o "音" 音の低音域成分を前記共鳴管に導き、 HYPERLINK "http://ja.wikipedia.org/wiki/%E9%9F%B3" \o "音" 音の低音域成分を増幅して前記放音孔より再生することを特徴とするスピーカ装置。
２）前記スピーカユニットの背面部と前記背面部キャビネットとの間隙にスペーサをさらに備えたことを特徴とする請求項１に記載のスピーカ装置。
３）前記放音孔に応じた開口部の前記背面部キャビネットにサウンドアブソーバをさらに備えたことを特徴とする請求項１または２に記載のスピーカ装置。
【発明の効果】
【００１０】
本発明により、簡単なスピーカ構成で組立が容易で且つスピーカボックスの奥行方向を狭くすることができると共に、低域再生が拡大された小型軽量なスピーカ装置を提供することができる。
【図面の簡単な説明】
【００１１】
【図１】実施例１に適用されるスピーカ装置の構成を説明する図である。
【図２】実施例１に適用されるスピーカキャビネットを説明する図である。
【図３】実施例１に適用されるスピーカ装置の放音孔を説明する図である。
【図４】実施例１に適用されるスピーカ装置の組立を説明する図である。
【図５】実施例１に適用されるスピーカ装置の自立脚部を説明する図である。
【発明を実施するための形態】
【００１２】
以下、本発明に係る投射型表示装置を実施するための好適な実施形態を説明する。
【００１３】
＜実施例１＞
図１は、本実施の形態に係るスピーカ装置１００の全体的な構成を示す図である。図１（Ａ）は、スピーカ装置１００の前面部キャビネット４０をスピーカユニット取付部１０側背面からみた図であり、図１（Ｂ）は、図１（Ａ）におけるａ−ｂの断面図、図１（Ｃ）は、スピーカユニット５０の詳細を説明するための図である。以下の説明では、説明の明確化のため、図に示すようなｘｙｚ直交座標系を用いて、説明を行う。
【００１４】
ここでは、ｚ軸が、スピーカ装置１００の前後方向を示し、ｙ軸がスピーカ装置１００の上下方向（鉛直方向）を示し、ｘ軸がスピーカ装置１００の左右方向（横方向）を示している。すなわち、スピーカユニット取付け部１０側をユーザ側に向け、かつ、放音孔２０を上方に向けてユーザがスピーカ装置１００を設置した状態において、ユーザを基準に方向を特定する。ｚ方向の＋ｚ側がスピーカ装置１００に設けられたスピーカユニット５０の振動板側（前面側）、−ｚ側が磁気回路側（背面側）、＋ｘ側が左側、−ｘ側が右側、＋ｙ側が上方側、−ｙ側が下方側とする。もちろん、上記の方向は、相対的なものであり、スピーカ装置１００の向きに応じて変化する。
【００１５】
図１に示すように、スピーカ装置１００は、スピーカユニット取付け部１０、放音孔２０、前面部キャビネット４０、側面部キャビネット４１、背面部キャビネット４２、スピーカユニット５０、共鳴管壁３０、共鳴管３１を有している。
【００１６】
図１（Ａ）に示すように、スピーカ装置１００は、バスレフ構造となっている。図１（Ａ）ａ−ｂにおける−ｘ側が内部構造、＋ｘ側が前面部キャビネット４０の構造を示している。前面部キャビネット４０には、スピーカユニット取付け部１０が設けられており、その＋ｙ側に放音孔２０が設けられている。
【００１７】
放音孔２０にいたる部分には、共鳴管壁３０と前面部キャビネット４０と側面部キャビネット４１と背面部キャビネット４２とで形成された空間である共鳴管３１が設けられている。この共鳴管３１は、音響迷路ともよばれ、スピーカユニット５０後面から発生する HYPERLINK "http://ja.wikipedia.org/wiki/%E9%9F%B3" \o "音" 音の低音域成分を増幅して放音孔２０より放出するものである。
【００１８】
共鳴管３１は、前面部キャビネット４０と背面部キャビネット４２との間隙に前面部キャビネット４０と背面部キャビネット４２とそれぞれに隙間なく密着された共鳴管壁３０と前面部キャビネット４０と背面部キャビネット４２とで形成されている。このとき、共鳴管壁３０は全体が独立していなくともよく、図１（Ａ）の−ｘ側並びに、＋ｙ側は側面部キャビネット４１と構造を共有してもよい。
【００１９】
図１（Ｂ）、図１（Ｃ）に示すように、このスピーカ装置１００は、スピーカユニット５０の磁気回路背面を背面部キャビネット４２に密着させている。これは、スピーカユニット５０後面から発生する HYPERLINK "http://ja.wikipedia.org/wiki/%E9%9F%B3" \o "音" 音の低音域成分を増幅して放音孔２０より放出するに際して、スピーカユニット５０の振動を背面部キャビネット４２に伝達し背面部キャビネット４２も振動させることにより更なる HYPERLINK "http://ja.wikipedia.org/wiki/%E9%9F%B3" \o "音" 音の低音域成分を増幅して放音孔２０より放出するためある。
【００２０】
図２は、スピーカキャビネットの組立構造を説明する図である。図２（Ａ）は、スピーカ装置１００を背面部キャビネット４２側からみたスピーカキャビネットの内部構造図であり、図２（Ｂ）は、図２（Ａ）を＋ｘ側から−ｘ側に向かってみた図、図２（Ｃ）は、スピーカ装置１００を前面部キャビネット４０側からみたスピーカキャビネットの内部構造図である。
【００２１】
図２（Ａ）は、スピーカ装置１００を背面部キャビネット４２側からみたスピーカキャビネットの内部構造図であり、スピーカユニット背面部５２（磁気回路背面部）、共鳴管３１が当接する部分を破線で示している。
【００２２】
図２（Ｂ）は、図２（Ａ）を＋ｘ側から−ｘ側に向かってみた図であり、共鳴管壁３０と前面部キャビネット４０と側面部キャビネット４１と背面部キャビネット４２とで形成された空間である共鳴管３１が設けられている。また、背面部キャビネット４２側とスピーカユニット背面部５２（磁気回路背面部）が当接する部分、スピーカユニット取付け部１０が設けられている。さらに自立脚８０とスピーカキャビネットの内部に自立脚取付け８１部が設けられている。
【００２３】
図２（Ｃ）は、スピーカ装置１００を前面部キャビネット４０側からみたスピーカキャビネットの構造図であり、スピーカユニット取付け部１０、放音孔２０が設けられた前面部キャビネット４０の内部に、共鳴管壁３０と前面部キャビネット４０と側面部キャビネット４１と背面部キャビネット４２とで形成された空間である共鳴管３１が設けられている。さらに自立脚８０とスピーカキャビネットの内部に自立脚取付け８１部が設けられている。
【００２４】
図３は、スピーカキャビネットの組立構造を説明する図であり、説明のために要部のみを示している。図３（Ａ）は、スピーカ装置１００を前面部キャビネット４０側からみたスピーカキャビネットの図であり、図３（Ｂ）は、その内部構造図である。
【００２５】
図３（Ａ）に示すように、外観は、スピーカユニット取付け部１０、放音孔２０が設けられた前面部キャビネット４０並びに、側面部キャビネット４１から形成されている。図３（Ｂ）は、その内部構造図であり、共鳴管壁３０と前面部キャビネット４０と側面部キャビネット４１と背面部キャビネット４２とで形成された空間である共鳴管３１が設けられ放音孔２０より低音域成分が放出される。
【００２６】
図４は、スピーカ装置１００の組立を説明する図である。図４（Ａ）は、スピーカ装置１００のターミナル７０の取付け構造を説明するための図であり、図４（Ｂ）は、スピーカユニット５０の取付け構造、図４（Ｃ）は、サランネット６０の取付け構造を説明するための図である。
【００２７】
図４（Ａ）は、スピーカ装置１００のターミナル７０の取付け構造を説明するための図であり、この例では、放音孔２０の対面に当たる側面部キャビネット４１にターミナル７０を取付けるようにしている。ターミナル７０は、この位置に限定されることはなく、共鳴管壁３０、共鳴管３１の構造に支障がない側面部キャビネット４１、あるいは、背面部キャビネット４２、前面部キャビネット４０に設けてもよい。
【００２８】
図４（Ｂ）は、スピーカユニット５０の取付け構造、及び、放音孔２０の構造を説明するための図である。スピーカユニット５０は、前面部キャビネット４０に設けられたスピーカユニット取付け部１０に固定され、背面部キャビネット４２に当接し密着された状態で支持される。
【００２９】
このとき、スピーカユニット５０のスピーカユニット背面部（磁気回路背面部）５２と背面部キャビネット４２との間にスペーサ５１を配置してもよい。このスペーサ５１は、スピーカユニット５０のスピーカユニット背面部（磁気回路背面部）５２と背面部キャビネット４２との間隙のバラツキを吸収し、密着度を一定に保ち、密着度を増すためのものである。
【００３０】
スピーカユニット５０のスピーカユニット背面部（磁気回路背面部）５２の振動を背面部キャビネット４２に効率よく伝達し背面部キャビネット４２も振動させることにより更なる HYPERLINK "http://ja.wikipedia.org/wiki/%E9%9F%B3" \o "音" 音の低音域成分を増幅して放音孔２０より放出するためある。
【００３１】
また、放音孔２０の構造であるが、単純に音を放出するための孔構造であっても、図に示すように所望の周波数特性が得られるように放音孔２０に応じた開口部に吸音材であるサウンドアブソーバ２２を設置してもよい。
【００３２】
図４（Ｃ）は、サランネット６０の取付け構造を説明するための図である。スピーカ装置１００は、スピーカユニット５０及び、放音孔２０が設けられているが、これらを覆うサランネット６０を設けてもよい。その場合には、前面部キャビネット４０にサランネット６０を取付けるためのサランネット取付け部４４を設け、サランネット取付け材６１を介して固定する。
【００３３】
図５は、スピーカ装置１００の自立脚部を説明する図である。スピーカ装置１００を視聴環境に設置するために自立脚８０をスピーカ装置１００に取付け設置するようにしてもよい。図５（Ａ）は、スピーカ装置１００を−ｙ側から＋ｙ側に向かってみた図であり、２箇所の自立脚８０が設けられ、その自立脚８０の間にターミナル７０が設けられている。
【００３４】
図５（Ｂ）は、スピーカ装置１００を＋ｙ側から−ｙ側に向かってみた図であり、２箇所の自立脚８０が設けられている。
【００３５】
上述の説明のように、本発明のスピーカ装置１００には、放音孔２０が設けられ、放音孔２０いたる部分には、共鳴管壁３０と前面部キャビネット４０と側面部キャビネット４１と背面部キャビネット４２とで形成された空間である音響迷路ともよばれる共鳴管３１が設けられている。
【００３６】
共鳴管３１は、前面部キャビネット４０と背面部キャビネット４２との間隙に前面部キャビネット４０と背面部キャビネット４２とそれぞれに隙間なく密着された共鳴管壁３０と前面部キャビネット４０と背面部キャビネット４２とで形成されている。かつ、スピーカユニット５０の磁気回路背面を背面部キャビネット４２に密着させている構造としたので、スピーカ装置の奥行き方向、すなわち、スピーカユニット５０の振動板側（前面側）から磁気回路側（背面側）方向の長さを短くすることが可能である。
【００３７】
このとき、放音孔２０にいたる部分には、共鳴管壁３０と前面部キャビネット４０と側面部キャビネット４１と背面部キャビネット４２とで形成された空間である共鳴管３１がスピーカユニット５０後面から発生する HYPERLINK "http://ja.wikipedia.org/wiki/%E9%9F%B3" \o "音" 音の低音域成分を増幅して放音孔２０より放出するように構成したので、小型薄型のスピーカ装置であってもスピーカユニット５０後面から発生する HYPERLINK "http://ja.wikipedia.org/wiki/%E9%9F%B3" \o "音" 音の低音域成分を増幅して再生することが可能である。
【００３８】
さらには、スピーカユニット５０のスピーカユニット背面部（磁気回路背面部）５２と背面部キャビネット４２とを密着して当接する構成とすることにより、スピーカユニット５０の振動を背面部キャビネット４２に効率よく伝達し背面部キャビネット４２も振動させることにより更なる HYPERLINK "http://ja.wikipedia.org/wiki/%E9%9F%B3" \o "音" 音の低音域成分を増幅して放音孔２０より再生することが可能である。
【符号の説明】
【００３９】
１０  スピーカユニット取付け部
２０  放音孔
２２  サウンドアブソーバ
３０  共鳴管壁
３１  共鳴管
４０  前面部キャビネット
４１  側面部キャビネット
４２  背面部キャビネット
５０  スピーカユニット
５１  スペーサ
６０  サランネット
７０  ターミナル
８０  自立脚
８１  自立脚取付け部
１００  スピーカ装置
【図１】
2014093535.tif 000003
【図２】
2014093535.tif 000004
【図３】
2014093535.tif 000005
【図４】
2014093535.tif 000006
【図５】
2014093535.tif 000007